(57)【要約】【課題】止水性及び施工性が良いサッシを提供する。【解決手段】本発明にかかるサッシ１において、雨切（横縁材）２３は、躯体２ａの室外面４に沿うフィン２３ｂと、フィン２３ｂの内周側で室外側に突出した張り出し部２３ａを有し、見切（縦縁材）２５は躯体２ａの室外面４に沿うフィン２５ｂと、フィン２５ｂの内周側で室外側に突出した張り出し部２５ａを有し、雨切２３の張り出し部２３ａの端部にシール受け面２９ａが形成してあり、見切２５のフィン２５ｂを雨切２３のフィン２３ｂの外周端位置まで延ばして雨切２３のフィン２３ｂに隣接させて配置してあり、防水シート３１は、雨切２３のフィン２３ｂと見切２５のフィン２５ｂとの間と、雨切２３のシール受け面２９ａと見切２５のフィン２５ｂとの間とを連続して覆って貼り付けてある。【選択図】図１
2019015066.tif 000002
【特許請求の範囲】
【請求項１】
横枠に取付けられる横縁材と、縦枠に取付けられる縦縁材と、防水シートとを備え、横縁材及び縦縁材は、躯体の室外面に沿うフィンと、フィンの内周側で室外側に突出した張り出し部とを有し、横縁材の張り出し部の端部にシール受け面が形成してあり、縦縁材のフィンを横縁材のフィンの外周端位置まで延ばして横縁材のフィンに隣接させて配置してあり、防水シートは、横縁材のフィンと縦縁材のフィンとの間と、横縁材のシール受け面と縦縁材のフィンとの間とを連続して覆って貼り付けてあることを特徴とするサッシ。
【発明の詳細な説明】
【技術分野】
【０００１】
本発明は、サッシに関する。
【背景技術】
【０００２】
一般に、雨切や水切等の横縁材を横枠に取付け、化粧材等の縦縁材を縦枠に取付けたサッシが公知である。
従来、かかる横縁材と縦縁材のコーナー部では、シール材を打設して止水していた。
【発明の概要】
【発明が解決しようとする課題】
【０００３】
しかし、シール材の打設は熟練を要すると共に手間がかかる為、止水性を確保しつつ施工性の改善が望まれていた。
【０００４】
そこで、本発明は、止水性及び施工性が良いサッシの提供を目的とする。
【課題を解決するための手段】
【０００５】
請求項１に記載の発明は、横枠に取付けられる横縁材と、縦枠に取付けられる縦縁材と、防水シートとを備え、横縁材及び縦縁材は、躯体の室外面に沿うフィンと、フィンの内周側で室外側に突出した張り出し部とを有し、横縁材の張り出し部の端部にシール受け面が形成してあり、縦縁材のフィンを横縁材のフィンの外周端位置まで延ばして横縁材のフィンに隣接させて配置してあり、防水シートは、横縁材のフィンと縦縁材のフィンとの間と、横縁材のシール受け面と縦縁材のフィンとの間とを連続して覆って貼り付けてあることを特徴とするサッシである。
【発明の効果】
【０００６】
請求項１に記載の発明によれば、横縁材と縦縁材とのコーナー部では、隣り合うフィン間と、横縁材のシール受け面と縦縁材のフィンとの間とを防水シートで連続して覆うので、従来のようなシール材の打設不備による漏れが生じないから、止水性が向上する。
一枚の防水シートを貼り付けるだけなので、施工性が良い。
【図面の簡単な説明】
【０００７】
【図１】本発明の実施の形態にかかるサッシの外周側上コーナー部であって、外壁を施工する前の状態を示す図であり、（ａ）は室外側から見た正面図、（ｂ）は（ａ）に示すＢ−Ｂ断面図、（ｃ）は（ａ）に示すＣ−Ｃ断面図である。
【図２】本発明の実施の形態にかかるサッシの外周側上コーナー部であって、外壁を施工する前の状態を示す斜視図である。
【図３】防水シートの平面図である。
【図４】本発明の実施の形態にかかるサッシの枠を除いて示した外周側下コーナー部であって、外壁を施工する前の状態を示す図であり、（ａ）は室外側から見た正面図であり、（ｂ）は（ａ）に示すＥ−Ｅ断面図、（ｃ）は（ａ）に示すＦ−Ｆ断面図である。
【図５】本発明の実施の形態にかかるサッシであって、引き違い障子を片側に寄せた状態の縦断面図である。
【図６】本発明の実施の形態にかかるサッシであって、引き違い障子を閉じた状態を示す横断面図である。
【発明を実施するための形態】
【０００８】
以下に、図１〜図６を参照して本発明の実施の形態を説明する。  
図５及び図６に示すように、本実施の形態にかかるサッシ１は、枠３と、引き違い障子５、５とを備えた引き違いサッシである。
枠３は、上枠（横枠）９と、下枠（横枠）１１と、左右の縦枠１３、１３とで枠組みしてあり、上枠９には上アンカー１５が上枠９の長手方向の所定位置に、下枠１１には下アンカー１７が下枠１１の長手方向の所定位置に、各縦枠１３には縦アンカー１９が縦枠１３の長手方向の所定位置に取付けてある。上アンカー１５は上躯体２ａに、下アンカー１７は下躯体２ｂに、左右の各縦アンカー１９は対応する縦躯体２ｃに固定されている。
各アンカー１５、１７、１９は、スチール製であり、対応する枠の長手方向に間隔をあけて複数配置されている。
各躯体２ａ、２ｂ、２ｃは鉄骨であり、枠３の外周側で枠３に沿って設けてある。各躯体２ａ、２ｂ、２ｃは、共に略同一面の室外面４を有している。
また、上枠９には上アンカー１５を介して雨切（横縁材）２３が取付けてあり、左右の縦枠１３には各々縦アンカー１９を介して見切（縦縁材）２５が取付けてあり、下枠１１には水切（横縁材）２７が取付けてある。
本実施の形態では、図１（ａ）に示すように、枠３の外周側の右上側コーナー部８ａには、雨切２３と見切２５との間を防水する防水シート３１が設けてあり、図４（ａ）に示すように、枠３の外周側の右下側コーナー８ｂには、水切２７と見切２５との間を防水する防水シート３１が設けてある。尚、枠３の外周側の左上側コーナー部は右上側コーナー部８ａ（図１参照）と略同一の構成であり、左下側コーナー部は右下側コーナー部８ｂ（図４参照）と略同一の構成であるから、各左側コーナー部の図示は省略する。
尚、図１（ａ）、２、４（ａ）では、防水シート３１をハッチングで示している。防水シート３１については後述する。
【０００９】
次に、雨切２３、見切２５及び水切２７について説明する。
図１及び図５に示すように、雨切（横縁材）２は、張り出し部２３ａと、フィン２３ｂとを一体に備えている。フィン２３ｂは上躯体２ａの室外面４に沿って設けてあり、張り出し部２３ａは中空２３ｃを有し、フィン２３ｂの内周側（図１（ａ）及び図５の下側）で室外側に突出している。
図１（ｂ）に示すように、張り出し部２３ａの室内側面には室内側に突設した取付片２３ｄが設けてあり、取付片２３ｄが上アンカー１５の室外側突設部１５ａにねじ２８で固定されている。
図１（ａ）及び図２に示すように、張り出し部２３ａの左右端部には、キャップ２９が取付けてある。キャップ２９において、張り出し部２３ａと反対側にある面が後述する防水シート３１を受けるシール受け面２９ａとしてある。
図１（ｂ）及び図５に示すように、雨切２３のフィン２３ｂは、上躯体２ａの室外面４にねじ３２で固定されている。
【００１０】
図１及び図６に示すように、見切（縦縁材）２５は、雨切２３と同様に、張り出し部２５ａと、フィン２５ｂとを一体に備えている。フィン２５ｂは縦躯体２ｃの室外面４に沿って設けてあり、張り出し部２５ａは中空２５ｃを有し、フィン２５ｂの内周側（図１（ａ）において左側）で室外側に突出している。
図１（ｃ）に示すように、張り出し部２５ａの室内側面には室内側に突設した取付片２５ｄが設けてあり、取付片２５ｄが縦アンカー１９の室外側突設部１９ａにねじ２８で固定されている。
図１（ａ）に示すように、見切２５の上部では、フィン２５ｂは、張り出し部２５ａよりも上方に延ばして加工されている。即ち、見切２５のフィン２５ｂは、雨切２３のフィン２３ｂの上端（外周端）２３ｆの位置まで延ばして、雨切２３のフィン２３ｂに隣接させて配置してある。
図１（ｃ）及び図６に示すように、見切２５のフィン２５ｂは、縦躯体２ｃの室外面４にねじ３２で固定されている。
図１（ａ）に示すように、見切２５の張り出し部２５ａには、その上端部には、張り出し部２５ａ内に上連結材２６ａが設けてあり、上連結材２６ａは雨切２３の張り出し部２３ａの下面に接続されている。
尚、見切２５の下部については、後述する。
【００１１】
図４（ａ）及び図５に示すように、水切２７は、雨切２３と同様に、張り出し部２７ａと、フィン２７ｂとを一体に備えている。フィン２７ｂは下躯体２ｂの室外面４に沿って設けてあり、張り出し部２７ａは中空２７ｃを有し、フィン２７ｂの内周側（図４（ａ）において上側）で室外側に突出している。
図５に示すように、水切２７には、張り出し部２７ａの内周側（上側）に突設した取付片２７ｄが設けてあり、取付片２７ｄが下枠１１にねじ３４で固定されている。
図４（ａ）に示すように、見切２５の下部では、フィン２５ｂは、張り出し部２５ａよりも下方に延ばして加工されている。即ち、見切２５のフィン２５ｂは、水切２７のフィン２７ｂの下端（外周端）２５ｆの位置まで延して、水切２７のフィン２７ｂに隣接させて配置してある。
尚、見切り２５の張り出し部２５ａの下端部には、上端部と同様に、張り出し部２５ａ内に下連結材２６ｂが設けてあり、下連結材２６ｂは水切２７の張り出し部２７ａの上面に接続されている。
図４（ｂ）及び図５に示すように、水切２７のフィン２７ｂは、下躯体２ｂの室外面４にねじ３２で固定されている。
図４（ａ）に示すように、水切２７の張り出し部２７ａの左右端部には、雨切２３と同様に、キャップ２９が取付けてある。キャップ２９において、張り出し部２７ａと反対側にある面が防水シート３１を受けるシール受け面２９ａとしてある。
【００１２】
次に、コーナー部に配置される防水シート３１について説明するが、枠３の外周側の各コーナー部では左右で略同じ構成であるから、枠３の外周側の右上側コーナー部８ａと、枠３の外周側の右下側コーナー部８ｂについて説明し、枠３の外周側の左上側コーナー部と左下側コーナー部の説明は省略する。
図５及び図６に示すように、防水シート３１は、外壁３５を施工する前に、雨切２３、見切２５及び水切２７の各外周側コーナー部８ａ、８ｂに取付けるものである。尚、防水シート３１は樹脂製シートである。
まず、右上側コーナー部８ａについて説明する。図１及び図２に示すように、防水シート３１は、互いに隣接配置された雨切２３のフィン２３ｂと見切２５のフィン２５ｂとの間を覆うフィン間防水部３１ａと、雨切２３のシール受け面２９ａと見切２５のフィン２５ｂとの間と覆うシール受け面側防水部３１ｂとを有している。
図３に示すように、シール受け面側防水部３１ｂは、見切２５のフィン２５ｂに貼着する見切フィン貼着部３７とシール受け面貼着部３９（図３にハッチングで示す領域）とを有し、シール受け面貼着部３９とフィン間防水部３１ａとの間には切れ目４３が形成してある。
見切りフィン貼着部３７は、フィン間防水部３１ａと反対側（図３の下側）においてシール受け面貼着部３９を越えて延出した延出部４５が設けてある。
シール受け面貼着部３９は、使用時には見切りフィン貼着部３７に対して折線４１を谷折にして立ち上げる。
尚、防水シート３１には裏面に粘着材と剥離シートが設けてあり、剥離シートを剥がして貼着するようになっている。
【００１３】
次に、図４に示す右下側コーナー部８ｂの防水シート３１について説明する。右下側コーナー部８ｂの防水シート３１では、枠３の右上側コーナー部８ａと同一の作用効果を奏する部分には同一の符号を付することにより、その部分の説明を省略し、右上側コーナー部８ａと異なる点について説明する。
この右下側コーナー部８ｂの防水シート３１は、図３に示す防水シート３１を上下反転して裏返した形状のものを用いている。その他の構成は上述の右上側コーナー部８ａで用いた防水シート３１と略同じである。
【００１４】
次に、サッシ１の施工について説明する。
図５及び図６に示すように、枠３は、上枠９、下枠１１及び左右の縦枠１３、１３を工場で枠組みしてあり、上アンカー１５及び下アンカー１７及び縦アンカー１９も対応する枠材に工場で取付けて、施工現場に搬入されている。
施工現場では、各アンカー１５、１７、１９を対応する上躯体２ａ、下躯体２ｂ及び縦躯体２ｃに取付けて、枠３を躯体の開口部に固定する。
【００１５】
次に、雨切（横縁材）２３、左右の見切（縦縁材）２５及び水切（横縁材）２７を取付ける。
雨切２３の取付けは、図５に示すように、張り出し部２３ａに設けた取付片２３ｄを上アンカー１５の室外側突設部１５ａにねじ２８で固定し、フィン２３ｂを上躯体２ａの室外面４にねじ３２で固定する。
水切２７の取付けは、取付片２７ｄを下枠１１にねじ３４で固定し、フィン２７ｂを下躯体２ｂの室外面４にねじ３２で固定する。
見切２５は、上端部に設けてある上連結材２６ａを雨切２３の張り出し部２３ａの下面に当接させて接続し、下端部に設けてある下連結材２６ｂを水切２７の張り出し部２７ａの上面に当接させて接続し、図６に示すように、張り出し部２５ａの取付片２５ｄを縦アンカー１９の室外側突設部１９ａにねじ２８で固定し、フィン２５ｂを縦躯体２ｃの室外面４にねじ３２で固定する。
【００１６】
次に、雨切２３と見切２５、水切２７と見切２５とが成す各コーナー部８ａ、８ｂに、防水シート３１を貼着する。
右上側コーナー部８ａでは、図３に示すように、防水シート３１においてシール受け面側防水部３１ｂからシール受け面貼着部３９を立ち上げるように谷折して、剥離シートを剥がして、貼り付ける。
図１に示すように、防水シート３１の貼り付けは、フィン間防水部３１ａを雨切２３のフィン２３ｂと、見切２５のフィン２５ｂとの隣接する部分に跨って貼着し、シール受け面貼着部３９を雨切２３のキャップ２９のシール受け面２９ａに貼り、隣接する見切フィン貼着部３７を見切りフィン２５ｂに貼着する。
【００１７】
図４に示すように、右下側コーナー部８ｂでは、右上側コーナー部８ａと同様に、フィン間防水部３１ａを水切２７のフィン２７ｂと、見切２５のフィン２５ｂとの隣接部分に跨って貼着し、シール受け面側防水部３１ｂでは、シール受け面貼着部３９を水切２７のキャップ２９のシール受け面２９ａに貼り、隣接する見切フィン貼着部３７を見切りフィン２５ｂに貼着する。
枠３の外周側の各コーナー部８ａ、８ｂに防水シート３１を貼り付けた後、雨切２３のフィン２３ｂ、左右の見切２５のフィン２５及び水切２７のフィン２７ｂと隣接する躯体２ａ、２ｂ、２ｃ、２ｄの上から防水シートを貼り、雨切２３、見切２５及び水切２７の外周を防水処理する。
【００１８】
次に、図５及び図６に示すように、雨切２３の張り出し部２３ａと上枠９との間、見切２５の張り出し部２５ａと縦枠１３との間にシール材４７を充填し、見切２５の上端部に設けた上連結材２６ａと雨切２３の張り出し部２３ａの下面との間、見切２５の下端部に設けた下連結材２６ｂと水切２７の張り出し部２７ａの上面との間にもシール材を充填し、枠３と雨切２３、見切２５、水切２７との間を四周に亘ってシールする。
その後、雨切２３の張り出し部２３ａ、見切２５の張り出し部２５ａ、水切２７の張り出し部２７ａの外周側に外壁３５を施工する。
【００１９】
第１実施の形態の作用効果について説明する。
図１（ａ）に示すように、雨切（横縁材）２３と見切（縦縁材）２５との右上側コーナー部８ａでは、隣り合うフィン２３ｂ、２５ｂ間と、雨切２３のシール受け面２９ａと見切２５のフィン２５ｂとの間とを防水シート３１で連続して覆うので、従来のようなシール材の打設不備による漏れが生じないから、止水性が向上する。
同様に、図４（ａ）に示すように、水切（横縁材）２７と見切（縦縁材）２５との右下側コーナー部８ｂでも、隣り合うフィン２７ｂ、２５ｂ間と、水切２７のシール受け面２９ａと見切２５のフィン２５ｂとの間とを防水シート３１で連続して覆うので、従来のようなシール材の打設不備による漏れが生じないから、止水性が向上する。
一枚の防水シート３１を貼り付けるだけなので、施工性が良い。
【００２０】
防水シート３１は、剥離シートを剥がすことで貼着できるから、作業性が良い。
図３に示すように、防水シート３１には、シール受け面貼着部３９を越えて延出する延出部４５を設け、シール受け面貼着部３９と延出部４５とで形成される角部と、切れ目４３の基部とをつなぐように折線４１を設けてあるので、折線４１に沿ってシール受け面貼着部３９を折るときに安定し、真直ぐに折り易い。
雨切２３は張り出し部２３ａに設けた取付片２３ｄを鋼材製の上アンカー１５に固定しているので、取付け強度が高い。同様に、見切２５も、張り出し部２５ａに設けた取付片２５ｄを鋼材製の縦アンカー１９に固定しているので、取付け強度が高い。
【００２１】
本発明は、上述した実施の形態に限らず、本発明の要旨を逸脱しない範囲で種々変形可能である。  
例えば、防水シートは、樹脂材製に限らず、金属箔等であっても良く、材質は制限されない。
雨切２３の張り出し部２３ａは上アンカー１５に取付けることに限らず、上枠９に取付けても良いし、同様に見切２５の張り出し部２５ａも、縦アンカー１９に取付ける固定することに限らず、縦枠１３に取付けても良い。
枠３及びアンカー１５、１７、１９は工場で組み立てることに限らず、施工現場で組み立てても良い。
躯体２ａ、２ｂ、２ｃは、鉄骨に限らず、モルタルや木材等であっても良く、材質は限定されない。
サッシ１は、引き違いサッシに限らず、上げ下げサッシや内開きサッシでも良く、サッシの種類は限定されない。
【符号の説明】
【００２２】
１    サッシ
９    上枠（横枠）
１１  下枠（横枠）
１３  縦枠
２３  雨切（横縁材）
２３ａ  張り出し部
２３ｂ  フィン
２３ｆ  上端（外周端）
２５  見切（縦縁材）
２５ａ  張り出し部
２５ｂ  フィン
２５ｆ  下端（外周端）
２７  水切（横縁材）
２７ａ  張り出し部
２７ｂ  フィン
２９ａ  シール受け面
３１  防水シート
【図１】
2019015066.tif 000003
【図２】
2019015066.tif 000004
【図３】
2019015066.tif 000005
【図４】
2019015066.tif 000006
【図５】
2019015066.tif 000007
【図６】
2019015066.tif 000008